(57)【特許請求の範囲】
【請求項１】
長手を有しかつ長軸を形成する中心コア、
前記コアの長手の一部に沿って半径方向へ延在する複数の剛毛、および
複数の連続ループから形成されたヘリックスを含むマスカラブラシであって、
前記ヘリックスは前記剛毛が前記連続ループの隣接ループ間で半径方向に延在するように前記コアの長手の少なくとも一部を中心に同軸に受けられており、
前記複数の剛毛は、前記コアに対する第一配向が前記複数の剛毛の各々に対して形成されるように前記コアに初期に固定されていて、前記複数の剛毛の少なくとも一部に前記ヘリックスが接触することにより、該複数の剛毛の少なくとも一部は前記コアに対して第二配向を形成する、マスカラブラシ。
【請求項２】
前記コアの長手は第一方向において捩じれた一対のワイヤセグメントから形成され、かつ前記剛毛は前記捩じれたワイヤセグメント間に挟むことにより前記コアへ固定されている、請求項１のマスカラブラシ。
【請求項３】
前記ヘリックスのループは前記第一方向と同一または反対になる方向で螺旋状になっている、請求項２のマスカラブラシ。
【請求項４】
前記ヘリックスは円形放射状断面を有する通路を形成している、請求項１のマスカラブラシ。
【請求項５】
前記ヘリックスは非円形放射状断面を有する通路を形成している、請求項１のマスカラブラシ。
【請求項６】
前記複数の連続ループの少なくとも１つは円形放射状断面形状の前記ヘリックスを形成している、請求項１のマスカラブラシ。
【請求項７】
前記複数の連続ループの少なくとも１つは非円形放射状断面形状の前記ヘリックスを形成している、請求項１のマスカラブラシ。
【請求項８】
前記ヘリックスは１つのワイヤ、シート材または成形材から形成された本体を有する、請求項１のマスカラブラシ。
【請求項９】
前記本体は金属またはプラスチックから形成されている、請求項８のマスカラブラシ。
【請求項１０】
前記本体は円形断面を有する、請求項８のマスカラブラシ。
【請求項１１】
前記本体は非円形断面を有する、請求項８のマスカラブラシ。
【請求項１２】
前記コアは環状ショルダを有し、かつ前記ヘリックスの端部は前記ショルダに対して前記コア上に受けられる寸法である、請求項１のマスカラブラシ。
【請求項１３】
前記複数の剛毛のチップは実質的にスムーズな剛毛外被を形成している、請求項１のマスカラブラシ。
【請求項１４】
前記複数の剛毛のチップは少なくとも１つの間隙を有する剛毛外被を形成している、請求項１のマスカラブラシ。
【請求項１５】
前記剛毛の少なくとも一部は他の剛毛よりも剛性である、請求項１のマスカラブラシ。
【請求項１６】
前記ヘリックスは更に銀を含む、請求項１のマスカラブラシ。
【請求項１７】
前記ヘリックスは前記コアの第一端部と整列する先端部を有し、かつ前記先端部はキャップおよびプラグの１つを支持している、請求項１のマスカラブラシ。
【請求項１８】
前記キャップおよびプラグの１つは更に櫛を支持している、請求項１７のマスカラブラシ。
【請求項１９】
前記ヘリックスはフロックになっている、請求項１のマスカラブラシ。
【請求項２０】
前記ヘリックスはピッチと寸法を有し、かつ前記ピッチと寸法の少なくとも１つは前記ヘリックスの長手上方で変化している、請求項１のマスカラブラシ。
【請求項２１】
前記ヘリックスは固定手段によって前記コアへ固定されている、請求項１のマスカラブラシ。
【請求項２２】
前記固定手段は直径が減じる前記ヘリックスの一部を更に含む、請求項２１のマスカラブラシ。
【請求項２３】
前記固定手段は前記コアに固定された前記ヘリックスの延長部を更に含む、請求項２１のマスカラブラシ。
【請求項２４】
前記固定手段は前記ヘリックスの一部と前記コアの一部との間に固定された部材を更に含む、請求項２１のマスカラブラシ。
【請求項２５】
前記部材はスリーブを更に含む、請求項２１のマスカラブラシ。
【請求項２６】
少なくとも１つの刻み、孔、溝および突起が前記ヘリックスの表面に設けられている、請求項１のマスカラブラシ。
【請求項２７】
長軸を形成するコアを有するマスカラブラシの一部の剛毛部を変更する方法であって、前記剛毛部が長手を有しかつ前記コアに固定された半径方向に延在する複数の剛毛により形成され、前記剛毛の各々が前記コアに対する第一配向を有する、マスカラブラシの剛毛部を変更する方法において、
複数の連続ループから形成されたヘリックスを用意し、前記ヘリックスを前記剛毛部の長手の少なくとも一部に沿って前記コアを中心に同軸に受けられるように構成し、かつ
前記剛毛が前記複数の連続ループの隣接ループ間で半径方向に延在しかつ前記剛毛の少なくとも一部に前記ヘリックスが接触することにより、該複数の剛毛の少なくとも一部が前記コアに対して第二配向に位置変換されるように、前記マスカラブラシの前記剛毛部の長手の少なくとも一部の上方に前記ヘリックスを設置することを含む方法。
【請求項２８】
前記ヘリックスを設置する工程は更に前記ヘリックスに前記コアの端部を挿入し、かつ前記ヘリックスおよびコアの少なくとも一方を他方に対して軸方向へ回転させることを含む、請求項２７の方法。
【請求項２９】
マスカラブラシの剛毛部を変更する装置であって、前記マスカラブラシは長軸を形成するコアを有し、前記剛毛部は前記コアに固定された半径方向に延在する剛毛を有し、前記剛毛の各々は前記コアに対して第一配向を有する、マスカラブラシの剛毛部を変更する装置において、
前記装置は、複数の連続ループを形成する本体により形成された円筒状ヘリックス、および、前記コアに前記ヘリックスを固定するための固定手段を含み、前記ヘリックスは、前記剛毛が前記連続ループの隣接するループ間で半径方向に延在するようにかつ前記剛毛の少なくとも一部に前記ヘリックスが接触することにより、該複数の剛毛の少なくとも一部が前記コアに対して第二配向に位置変換されるように、前記コアのまわりに同軸に受けられるべく選択された寸法およびピッチを有する、マスカラブラシの剛毛部を変更する装置。
【請求項３０】
前記固定手段は直径が減じる前記ヘリックスの一部を更に含む、請求項２９の装置。
【請求項３１】
前記固定手段は前記コアに固定されるべく構成された前記ヘリックスの延長部を更に含む、請求項２９の装置。
【請求項３２】
前記固定手段は前記コアへ固定されるべく構成された前記ヘリックスに固定された部材を更に含む、請求項２９の装置。
【請求項３３】
前記部材はスリーブを更に含む、請求項２９の装置。
【発明の詳細な説明】
【０００１】
発明の背景
１．発明の分野
本発明は捩じれたワイヤコア等のコアから半径方向に延在する剛毛を有するブラシに関する。更に詳細には、本発明はマスカラを塗布するためのブラシ等のブラシの半径方向に延在する剛毛を調節するための装置および方法に関する。
【０００２】
２．従来技術の説明
例えば、使用者の睫毛にマスカラを塗布するために使用されるマスカラブラシ等のブラシは既知である。通常タイプのマスカラブラシは単一金属ワイヤから形成され、概ねＵ形に折り畳んで一対の平行ワイヤセグメントに形成されたコアで構成される。通常、ナイロンストランドで構成されるブラシ（場合によってフィラメントと呼ぶ）は、そのワイヤのセグメントの長手の一部間に設置される。その後に、ワイヤセグメントは捩じりまたは回転させて捩じれたワイヤコアに形成し、捩じれたワイヤコアはワイヤセグメント間でフィラメントを挟持するために実質的中間点でフィラメントを保持する。このようにして、剛毛部もしくは剛毛頭部は螺旋状に捩じれコアワイヤに固定された半径方向に延在する剛毛により形成される。例えば、Gueretに対する米国特許第４，８８７，６２２号およびHartel等に対する米国特許第４，７３３，４２５号を参照。
【０００３】
概ね、マスカラアプリケータはマスカラの受器または他の化粧媒体を有する容器へ挿入される。剛毛は一定量のマスカラを取り出しかつ塗布するために容器から使用者の睫毛へ運ばれる。例えば、Costaに対する米国特許第４，３６５，６４２号、Hartel等に対する米国特許第４，７３３，４２５号、Gueretに対する米国特許第４，８８７，６２２号参照。これらのマスカラアプリケータはマスカラアプリケータにより運ばれるマスカラ量を最大にするためと言われておりかつマスカラを均一かつ魅力的な方法で塗布するためと言われ、同時に睫毛を所望ファッションで結合する。
【０００４】
上記および他の課題は、概ね、マスカラブラシ設計に重要と考えられている。理解されるように、ブラシは睫毛に塗布するためにマスカラ受器からアプリケータにより取り出すマスカラ量を最大にし、かつブラシに補給するために使用者が受器へアプリケータを導入する回数を最小限にすることが好ましい。ブラシは、また、マスカラを均一に塗布しかつ同時に睫毛を梳かして分離させ、かつ睫毛から余分なマスカラを除去するものであることが好ましい。使用者の便宜から、塗布および睫毛の梳かしはできる限り少ないストローク、アプリケータのマスカラ受器へのできる限り少ない導入により達成できることが好適である。
【０００５】
化粧品の性質は異なるので、１つの特定化粧品の使用に理想的なブラシ設計は他の化粧品への使用に適さない。例えば、特定マスカラ成分はより厚くもしくは固体を多く含んでよく、それにより薄い化粧品もしくは固体を少量含む化粧品に要求される性質と異なる性質を必要とする。
【０００６】
更に、使用者は他より優れたブラシ特性を好む。例えば、使用者は首尾よく梳かしかつ少量の化粧品を運ぶブラシを好む。
【０００７】
従来タイプの捩じれワイヤブラシの剛毛の剛性または剛毛チップの分配の変更は、例えば、ブラシの保持、塗布かつ／または梳かし特性を大きく変化させ、かつブラシの美観を改善することであることが知られてる。例えば、Hartel等に対する米国特許第４，７３３，４２５号は中空剛毛の使用または剛毛分配を改善するために非円形断面を有する剛毛を開示している。Schrepf等に対する米国特許第４，８６１，１７９号は、ブラシがマスカラ塗布と睫毛梳かしの両方に使用できるように特定比率でブラシの長手にわたって柔軟剛毛と剛性剛毛を混在させている。Gueretに対する米国特許第５，６５７，７７８号は改良された剛毛分配を得ると言われているＬ形横断面の剛毛の使用を開示している。Cansler等に対する米国特許第５，１６１，５５５号は直線剛毛の代わりに強力波状剛毛を使用するブラシを開示しており、これは剛毛の両端へ更に均一に分配するためと言われている。
【０００８】
上記例を含む既知ブラシは、ブラシ特性を変更するためにユニークな剛毛構造（例えば、中空、非円形またはＩ形）またはユニークな剛毛特性（例えば、柔軟剛毛と剛性剛毛の混在）に依存する。概ねユニーク剛毛構成要素の使用は構成要素のための開始コストが高いために単価が高くなり、かつユニークな生産および工程、例えば重い波形剛毛の取り扱い困難性により、組立コストが上昇する。更に、ユニーク構成要素の使用は望ましくないブラシ特性を生じさせるかまたはブラシ特性の変更程度を制限することになる。
【０００９】
剛毛担持ストリップをコアのまわりに螺旋状に配置したブラシが既知である。例えば、Drummに対する米国特許第４，４９０，８７７号およびKingsfordに対する同特許第３，９９８，２３５号（図５〜６）は剛毛を支持するＵ形チャンネルの形態の剛毛担持ストリップを開示する。各開示ブラシにおいて、チャンネルは支持体のまわりに螺旋状に巻かれる。Enchelmaierに対する米国特許第４，１１４，２２１号は剛毛のタフトを支持する切欠きを有するストリップ担持剛毛を開示する。このストリップはコアのまわりに螺旋状に巻かれる。こられの３つの開示の各々において、剛毛は、ブラシのコアでなく、螺旋ストリップへ固定される。剛毛が螺旋ストリップに固定されるので、例えば、螺旋のピッチを変更するために変更できる程度が制限される。更に、開示された構造が既存の従来マスカラブラシの剛毛分配を変更するために使用できることについて説明がない。
【００１０】
従って、剛毛分配が生産時または生産後に大幅に変更できる低コストブラシに対するニーズ、同様に種々の機能的かつ美的目的に適合する低コストブラシに対するニーズがある。
【００１１】
発明の簡単な概要
従来技術の欠点を克服しかつ他の課題、利点を達成手するために、好適には捩じれワイヤから形成されかつブラシ部を一端に有する従来中央コアを含むマスカラアプリケータが開示される。前記ブラシ部は前記捩じれワイヤコアによる初期配向、例えば螺旋アレイで半径方向に延在する複数の剛毛を含む。円筒形ヘリックスが前記コアを中心に実質的同軸で、前記剛毛が前記ヘリックスの連続ループまたはコイル間で半径方向に延在するように位置決めされる。ヘリックスの内径、ピッチ、ヘリックス本体の厚み等のヘリックスの特性はそれぞれ、前記ヘリックスが前記コアのまわりで所定位置のときに前記剛毛の少なくとも一部の初期配向の変化に共働するように選択される。従って、前記ヘリックスは少なくとも一部のヘリックスを選択された特性を有するブラシを形成するために配向変換することにより前記ブラシ部の物理的配置もしくは構成を変化させる。
【００１２】
本発明による方法は、ブラシの剛毛をヘリックスの連続コイル間で半径方向に延在させるように、コアのまわりに同軸に受けることのできる寸法のヘリックスをブラシの剛毛部に付加する工程を含む。前記ヘリックスの寸法、構造および形態を選択することにより、前記ヘリックスは前記剛毛の少なくとも一部を位置変えできるように構成される。
【００１３】
本発明によれば、選択された分配を有する剛毛を備えたマスカラアプリケータを形成するために、標準的捩じれワイヤコアが低コストで変更できる。本発明のアプリケータにおける前記剛毛分配は従来アプリケータよりも多くのマスカラの取り出しおよび担持を可能にするために選択できる。前記剛毛分配は、また、従来アプリケータと比較してよりスムースかつより均一にマスカラを塗布し、かつ少ない回数のストロークでより良い梳かし運動を可能にするために選択できる。
【００１４】
本発明ならびにその特定特徴および利点は添付図面を参照して検討する場合に続く詳細な説明から更に明らかになる。
【００１５】
次の説明において、図面中の同様参照番号は同様部を示すために使用されている。
【００１６】
図１を参照すると、従来例による捩じれワイヤコアマスカラブラシ組立体が概ね２２で示され、この組立体は長軸２３を形成するコア２４を有する。コア２４は一端で剛毛部２８、および他端でキャップ２６を支持する。ブラシ組立体２２の剛毛部２８は従来マスカラ容器または瓶３０内に収容される寸法である。キャップ２６および容器３０は共働して係合するネジ山１６および２９によりそれぞれ連結される構成である。図１に示された捩じれワイヤコアタイプのブラシおよびそれを形成する方法は周知である。上述したように、かかるブラシは単一金属ワイヤを概ねＵ形に折り畳んで一対の平行ワイヤセグメントをすることにより形成される。剛毛２５（時にフィラメントと呼ばれる）は通常ナイロンストランドから構成され、ワイヤセグメントの長手の一部間に設置される。そこで、ワイヤセグメントは捩じられ、捩じれたワイヤコアを形成し、このワイヤコアは実質的中間点でフィラメントを挟むようにして保持する。このようにして、剛毛部２８（時に剛毛頭部と呼ぶ）は螺旋状に捩じれたワイヤコアへ固定された規則的に半径方向に延在する剛毛２５により形成される。図１において、従来ブラシ組立体２２の剛毛部２８は特別の剛毛外被（同様にブラシトリムとして知られている）、即ち、剛毛チップにより形成されたブラシの形状を有するものとして示されている。図示ブラシは一端で先細りの概ね円筒剛毛外被を有し、剛毛外被の表面よりもコア２４で更に明瞭に螺旋状に捩じれるように配設された剛毛を有する。
【００１７】
剛毛チップは、図１に示された従来ブラシの剛毛外被の表面で、相互に対して実質的均一に分配されている。しかし、更に詳細に後述するように、本発明はいずれの形態に剛毛チップを分配したブラシにも同様に首尾よく適応する。同様に、本発明は捩じれたワイヤコアブラシに関して開示されるが、本発明はコアから半径方向に延在する剛毛を有する他のタイプのブラシをも同様に首尾よく適応し、かつ個別剛毛の配向変換によるまたは剛毛チップの分配変更による利益をもたらすことが理解されるであろう。
【００１８】
捩じれたワイヤコアブラシを形成する分野において、螺旋および渦巻き、螺旋状および渦巻き状の用語は捩じれたワイヤセグメントの形状に関して、かつ／またはブラシのコアに対する剛毛の配設に関して使用される場合に相互に交換可能であると理解されている。例えば、コアを中心に渦巻き状に配設された剛毛を有する捩じれワイヤコアブラシはコアを中心に螺旋状に配設された捩じれたワイヤコアブラシと同じであると理解されている。ただし、本発明の開示の説明を明瞭にするために、基本的には、渦巻きおよび渦巻き状の用語は当初または初期ブラシ、即ち、捩じれたワイヤセグメントの形態かつ／または当初または初期ブラシのコア上の剛毛の配設に関して使用される。螺旋または螺旋状の用語は、基本的に、添加または付加されるヘリックスに関して使用される。いずれの場合にも、主な使用法は、単に、本開示の解明を意図するにすぎず、当分野における一般的理解から異なる定義を意味することを意図していない。
【００１９】
図２〜４を参照すると、本発明によるマスカラブラシ組立体は概ね２により図示されている。マスカラブラシ組立体２は第一端部６で剛毛部８かつ第二端部１０でキャップ１２を支持する中心コア４を有する。キャップ１２はブラシの把手として作用し、ブラシ組立体２を、図１で参照番号３０により示されたように従来マスカラ瓶に、固定するために内ネジ山１６（図３）を有する。剛毛部は第二端部１０の近くに基端部９および第二端部１０から大きく距離をおいて先端部１１を有する。長軸１４はコアの第一端部６および第二端部１０にわたって形成されている。コア４の全部または一部は中実材料、例えば、成形プラスチック等から成り、従来手段によりその材料に固定された剛毛を具備する。従来手段により材料に固定された剛毛を備えた。選択的に、コアの全部または一部は捩じれワイヤ１９を含む。コアの捩じれワイヤ部１９はコアの中実部へ従来手段、例えば、接着、音波溶接、成形、締まり嵌め等により結合されるか、またはコア４の中実部内の孔１７（図４）内に捩じれワイヤ部１９の基端部１３を締結することにより連結される。好適形態において、コアの第二端部１０および中心部５は中実プラスチック材料であり、かつコア４の第一端部６は従来捩じれワイヤ部１９である。
【００２０】
いずれの場合にも、複数の半径方向に延在する剛毛１８がコア４の剛毛部８に沿って固定されて「初期」または「第一」分配または配向をもった剛毛を有する「初期ブラシ」を形成する。剛毛分配（同様に剛毛チップ分配として知られている）はブラシ組立体の剛毛部における剛毛チップ相互に対する場所を意味する。剛毛配向は剛毛部におけるブラシ組立体のコアに対する剛毛軸の空間位置を意味する。本明細書において、「当初のブラシ」または「初期ブラシ」の用語は本発明によるヘリックスが同軸に設置される前のブラシを指し、かつ「続くブラシ」または「最後ブラシ」の用語は本発明によるヘリックスが設置された後のブラシを指す。同様に、「当初」、「初期」または「第一」分配または配向は本発明によるヘリックスが同軸に設置される前の剛毛配設を指し、かつ「続く」、「最後」または「第二」分配または配向は本発明によるヘリックスが付加された後の剛毛配設を指す。
【００２１】
好適形態において、コアの少なくとも剛毛部８は捩じれワイヤ部１９であり、捩じれワイヤのワイヤセグメント間の中間点で堅く挟持された剛毛１８を具備する。当初のブラシの剛毛１８の各々は少なくとも初期において（即ち、ヘリックスが当初のブラシの剛毛部に付加される前）、コア４に対して第一配向を有し、次に第一剛毛分配を形成する。この第一剛毛配向および分配は典型的には従来捩じれワイヤブラシに見られるものであり、このようにして本発明は他の第一剛毛配向および分配を有する剛毛により同様に首尾よく達成される。
【００２２】
当初のブラシの剛毛の初期または第一分配は意図された全目的または意図されたマスカラ成分に理想的でなくてよい。例えば、剛毛の初期分配は特定剛毛外被１１２（図２７〜２８において概略的に示されたように）、即ち、剛毛チップの配設により形成されるブラシの剛毛部の表面を形成する。一タイプの剛毛外被は、例えば、より良い負荷特性を現すが所望結合特性を有しない溝または間隙１０４（図２８）を有していてよい。他の剛毛分配は、例えば、より良い結合特性を現すが所望負荷特性を有しない溝または間隙を有しないスムーズ剛毛外被（図２７）を形成する。
【００２３】
本発明は当初のブラシの初期剛毛分配を、剛毛の少なくとも一部を第一配向から選択された第二配向へ移動することにより、変えることができる。これは円筒形ヘリックス５０、即ち、ブラシ組立体２の剛毛部８の長手の少なくとも一部に設けられる、同様に本明細書において「付加ヘリックス」と呼ぶヘリックスにより達成される。ヘリックス５０は基端部５２から先端部５４へ延在する複数の連続ループ４８に形成された本体６０（図４）を含む。ヘリックス５０はブラシの剛毛部８内のコア４を中心に実質的同軸に位置決めされる。換言すれば、ヘリックス５０の本体６０のループ４８はコア４のまわりに渦巻きにされる。ヘリックス５０はコア４を中心に、剛毛１８が連続ループ４８の隣接ループ間で半径方向もしくは放射状に延びるように位置決めされる。このように、ヘリックス５０の少なくとも一部が剛毛１８間の空間を占領し、かつ剛毛１８の少なくとも一部がヘリックス５０と直接的または間接的に接触してコア４に対して第二配向へ位置変えする（図４）。剛毛１８の一部の位置変えによって、剛毛チップ２１の分配が達成される（図２〜４参照）。この分配はヘリックスを添加しない当初のブラシにおける剛毛チップの分配と異なる。ヘリックスの寸法（大きさ）は最終ブラシが当初のブラシと大きく異なる属性を有するように選択されてよい。
【００２４】
更に詳細に後述するように、付加ヘリックス５０は種々異なる剛毛ブラシになるように選択されてよい。例えば、スムーズな剛毛外被を有するブラシ（即ち、図２７に概略図示された比較的均一の剛毛チップ分配）が溝または間隙を有する剛毛外被を有するように変更できる（図２８に概略図示された螺旋列剛毛）。これは図５Ａに示されており、図５Ａは実質的にスムーズな剛毛外被を有する当初の分配１０１と添加ヘリックスが間隙または溝１０４を有する剛毛外被を形成する変更後の同一ブラシ１０３（螺旋列剛毛）とを並置して比較する図を示す。選択的に、間隙または溝を有する剛毛外被（即ち、図２８の螺旋列剛毛）を形成する初期分配による当初のブラシは、ヘリックスにより、間隙または溝を殆ど見えない実質的にスムーズな剛毛外被（図２７の実質的均一分配の剛毛チップ）を有するものに変更できる。これは図５Ｂに示されており、図５Ｂは間隙または溝１０４を有する剛毛外被（螺旋列剛毛）を有する当初のブラシ１０５と実質的にスムーズな剛毛外被（実質的均一剛毛チップ分配）を形成するヘリックス付加による変更後の同一ブラシ１０７とを並置して比較する。理解されるように、溝を有する剛毛外被を備えた当初のブラシは、溝の見かけピッチ、幅または深さを変えるために、ヘリックス添加により変更できる。本発明の最大の利点は、添加もしくは付加ヘリックスが既存低コスト初期ブラシを、同様に低コストで、いずれか１つのまたは組み合わせた分配特性および属性を有する無限の剛毛分配のいずれかへ変更させることができることである。
【００２５】
剛毛分配を変更することに加えて、付加ヘリックスは剛毛の一部の見かけ剛性を増す。これは剛性剛毛の代表的特性、例えば、改良された結合能力等を有するブラシを提供する付加的利点を有する。添加ヘリックスは、また、一定ブラシの剛毛部におけるコアの全体的剛性を改良する。このように、基礎となる当初のブラシとして、細いワイヤの直径等の更にデリケートな構成を有するものが、さもなければ意図された使用で機能するだけの充分な強度を有しないものが使用でききる。
【００２６】
好適には、ヘリックス５０は従来法、例えば、螺旋バネを巻くための既知方法によりブラシ組立体２とは別に予め形成される。ヘリックス５０は、ヘリックスを設置する当初のブラシに所定特性を付与するために選択された寸法、ピッチおよび形状により予備形成される。好適形態において、ヘリックス５０は、コアのまわりに同軸に設置するために構成された金属ワイヤから予備形成される。ブラシ組立体上の設置を促進するために、ヘリックス５０は（図１０にブラシ組立体から分離して図示されている）基端部５２から中央部へ延在する均一間隔をおいたループを有する。先端部５４は、第一端部（図２〜３）でコア４の直径よりも僅かに小さいかコア４の直径と実質的同一であり、内径へ向かって傾斜（先細り）している。ヘリックス５０を設置するために、ヘリックスの基端部５２はコア４の第一端部６上方に設置される。そこで、ヘリックス５０およびコア４の少なくとも一方が他方に対して軸回転し、ヘリックス５０が剛毛部８内でコア４の上方で同軸前進するようにする。ヘリックス５０は好適には剛毛部８と実質的同一の長さを有する。好適には、ヘリックス５０は、ヘリックス５０の先端部５４が剛毛部８の実質的先端部１１に位置付けられるまでコア４へ前進させる。好適には、ヘリックス５０の先端部５４の内側の径はコア４の第一端部６の外側の径と実質的同一またはそれよりも僅かに小さく、それによりヘリックス５０の先端部５４はブラシ組立体上にヘリックスを固定するためにコア４の第一端部６と締まり嵌めにより係合する。理解されるように、ヘリックス５０は剛毛部８の長さよりも小さくてよく、それにより基端部５２もしくは先端部５４、または両端部５２，５４は剛毛部の両端部９，１１間に位置決めされる。このようにして、剛毛部の選択された部の特性が変更できる。
【００２７】
選択的に、ヘリックス５０はヘリックス５０の本体６０をコア４のまわりにラッピングすることによりブラシ組立体２上の所定位置に形成でき、選択された寸法、形状およびピッチを達成しかつ所定剛毛分配を達成する。
【００２８】
ヘリックス５０の基端部５２および先端部５４はそのヘリックスの中心部から異なる形状および異なる終端であってよい。例えば、使用者を損傷する鋭利点またはエッジを除去するために、ヘリックスの本体６０の先端部５４はコア４へ向けて折り返されてよい（図１２および１３）。選択的に、ヘリックスの先端部５４上方に固定されたキャップ５５（図８Ａおよび２５）、ヘリックスの先端部５４に固定されたプラグ５７（図8Bおよび２４）は、例えば、締まり嵌めまたは接着剤により、先端部に接近または終端する作用をしてよい。キャップ５５またはプラグ５７は櫛５９（例えば、図９）または他の特定付属品を支持してよい。鋭利点またはエッジは、同様に、ヘリックス５０を剛毛部８上に、先端部５４を剛毛部８の両端間に位置決めするように、即ち、剛毛部８の先端部１１がヘリックス５０の先端部５４から突出するように、設置することにより回避できる。
【００２９】
ヘリックス５０のループ４８と剛毛部８の剛毛１８との摩擦接触は概ねブラシ組立体上にヘリックス５０を保持するに充分であるが、ヘリックス５０をブラシ組立体上に更に確実に取り付けるために固定手段を設けることが好適である。固定手段はヘリックスへの構造的変更の形態をとる。例えば、ヘリックスの基端部５２および先端部５４の両方またはいずれか一方を、コア４の外径と実質的同一またはそれよりも僅かに小さい内径へ傾斜させてよい（先端部５４に設けた先細りを示す図１０，１１，１４および１５参照）。かかる寸法により、基端部５２または先端部５４の一方またはその両端部が締まり嵌めによりコア４上に受けられてブラシ組立体へヘリックスを固定する。選択的に、延長部６７（図１４〜１５）が基端部５２または先端部５４のいずれか一方または両方に設けられてよい。例えば、基端部５２から突出する延長部６７はコア４の捩じれワイヤ部１９の端部１３と共に孔１７内に受けられかつ固定される。さもなければ、他の孔（図示せず）が基端部５２から突出する延長部６７を受けかつ固定するために特に設けられてよい。先端部５４から突出する延長部６７は反対側へ折り返されて、突出部の自由端がコア４の捩じれワイヤセグメントへまたはその間へ固定できるようにされてよい。
【００３０】
前記固定手段は選択的にブラシのコアに対する変形形態をとってよい。例えば、コア４の第一端部６は環状ショルダ６２を有していてよい。環状ショルダは、コア４の縮小直径部６３とヘリックスの基端部５２の直径と同一またはそれよりも大きいコア４の部との交差により形成される。縮小直径部６３はヘリックス５０の基端部５２を締まり嵌めにより受ける寸法であってよい。この場合に、基端部５２は好適にはヘリックス５０とコア４間により大きな摩擦接触を付与するように堅く巻かれる。ショルダ６２はストッパとして働き、アプリケータブラシの組立時にヘリックス５０がコア４上に更に前進するのを防止する。
【００３１】
前記固定手段は、同様に、ブラシのコア４へヘリックス５０を固定する分離要素の形態をとってよい。例えば、スリーブ６１（図２６）がコア４の外側とヘリックス５の内側との間に設けられてよい。長手方向に延在するスリーブ６１は開放基端部６５および先端部６９を有する。先端部６９は開放していても開放していなくてもよい。スリーブ６１により形成された孔６６はコア４の捩じれワイヤ部１９の一部を密接に受ける寸法である。スリーブの外面６４はヘリックス５０の内側に密接に受けられる。好適には、スリーブ６１はコアの捩じれワイヤ部１９の先端部１５の外側とヘリックスの先端部５４の内側間に位置決めされる。スリーブ６１は適宜材料、例えば、金属またはプラスチックにより形成されてよい。プラスチック材料は製造容易のために押し出しまたはモールディング成形によるのが好適である。前記スリーブは、締まり嵌め、音波溶接、もしくは他の適宜手段、またはそれらの組み合わせによりコア４とヘリックス５０に固定されてよい。スリーブ６１の先端部６９は選択的にキャップ５５またはプラグ５７に取り付けるかまたはそれらと一体的に形成されてよい（図２４および２５参照）。キャップ５５の場合（図２５）、キャップから近くに延在するスカート部６８は、ヘリックス５０の先端部５４の外側上方に密接に適合する寸法にすることにより付加的取り付け機会を提供してよい。
【００３２】
理解されるように、ヘリックス５０は基端部５２および先端部５４のいずれか一方または両方で固定手段によりコアへ確実が取り付けられてよい。
【００３３】
ヘリックス５０のループ４のスペーシングはヘリックス５０の全長にわたって変化してよい。例えば、基端部５２および先端部５４のいずれか一方または両方のヘリックスの一部はヘリックスおよび基礎となるブラシを強化するため、かつ上述したようにブラシ組立体に確実に取り付けるために、ループ間にギャップを作ることなく密に巻かれる（図１２，１４，１６および１７参照）。密に巻いた端部を有するヘリックスは、密に巻いた部が剛毛を干渉しないように概ね剛毛部上に位置決めされる（図２〜３参照）。剛毛部全長にわたって均一ブラシ特性を付与するために、ループ４８のスペーシングはヘリックス５０の対応する部において均一でなければならない（図１０，１２，１４および１７参照）。図１６はヘリックス５０の中央部の長手にわたって変化するスペーシングを有するループ４８の他の形態を示す。部７１のループは狭い間隔になっているが、部７３のループの間隔は広くなっている。剛毛部の長手にわたって比較的均一の初期剛毛分配を有する当初のブラシ上に設置される場合、図１６に示されたようなヘリックス配設または構成は剛毛部の長手にわたって変化する剛毛分配およびブラシ特性が得られる。
【００３４】
図１７には、ヘリックスの直径が基端部５２から先端部５４へ徐々に先細りになる形態が示されている。ヘリックスの直径の先細りは剛毛トリムの先細りに対応するか、または剛毛トリムの先細りから変化してよい。ヘリックスの先細りが剛毛トリム先細りと異なる場合、ヘリックスは、大抵、剛毛部の長手にわたって剛性が変化する剛毛による剛毛部を形成する。
【００３５】
ヘリックスの本体６０は意図する用途に適合する適宜材料により形成されてよい。本体６０は金属またはプラスチック等のワイヤまたはシート状材料により形成、切断または他の方法で形成されてよく、またプラスチックまたは他の適宜材料から成形されてよい。好適には、本体６０は金属ワイヤまたは金属板から形成される。本体６０の寸法、即ち、ワイヤの直径、または金属板等の厚み、および本体６０の断面形状は所望分配の剛毛を得るように選択されてよい。本体６０の断面例は図７Ａ〜７Ｆに示されている。これらの例は制限的でない。
【００３６】
ヘリックスのワイヤまたはシート材本体６０は所望結果を得るために更に変更されてよい。例えば、ワイヤ（図１０〜１７）またはシート材（図１８〜１９）から形成されたヘリックス本体６０には、例えば本体６０の面積を大きくすることによって機能を向上させるために、溝、孔等が形成されてよい。図１８〜１９に示されたシート材によるヘリックス５０に加えることのできる他の変態例は図２０Ａ〜２０Ｆに詳細図で示されている。図２０Ａは変形されないシート材によるヘリックス本体を示す。図２０Ｂは、本体６０が先端部５４に向かって徐々に先細りになるように先端部５４の方向に減少する本体断面を有するシート材ヘリックスを示す。図２０Ｃ〜２０Ｅは、ブラシ上のマスカラの保持を向上させる異なる例の小さな凹凸窪みを備えたシート材ヘリックス本体を示す。図２０Ｆはマスカラ保持を向上させることのできる表面溝を有するシート材ヘリックス本体を示す。図２１〜２３はシート材ヘリックス本体６０を有するヘリックス５０を示す。このヘリックスは四辺形断面を有する。他の断面形状を有するヘリックスの他の例は図６Ａ〜６Ｄに示されている。適宜材料により形成されたヘリックス本体６０はブラシの剛毛部に剛性を付加するように硬質であってよい。選択的に、ヘリックス本体６０はブラシ組立体の剛毛部上に受けるためにヘリックスを伸張させ、かつブラシ組立体上に保持するように剛毛部を把持するために収縮させるためにブラシバネ性または弾性を有していてよい。ヘリックスは全体または一部が当分野に周知の方法により繊維によるフロック（房）にされていてよい。
【００３７】
ヘリックス５０の構造および形状は所望剛毛分配を得るために選択される。例えば、ヘリックスのピッチかつ／または全直径は所望剛毛分配に達するためにコアの直径および剛毛の長手に対して選択できる。ヘリックスのピッチかつ／または直径はヘリックスの長手に沿って均一または変化していてよい。上述したように、ヘリックス５０かつ／またはヘリックス本体６０の半径方向の断面形状は剛毛の分配に影響してよい。例えば、ヘリックス５０は半径方向に円形断面、または非円形断面、例えば、四辺形、楕円形、または星形等の断面形状の通路を形成してよい。同様に、ヘリックス５０の半径方向の外断面形状は、ブラシの剛毛部８における異なる剛毛分配に達する円形または四辺形、楕円形、または星形等の非円形であってよい。ヘリックスの半径方向の断面形状は長手全体にわたって均一または変化していてよい。
【００３８】
ワイヤまたはシート材ヘリックス本体６０の寸法およびヘリックスを形成する材料の属性は達成される終局的剛毛分配に影響を及ぼす。例えば、図７Ａ〜７Ｆに示されたにように、ヘリックス本体６０のワイヤまたはシート材の断面は円形または非円形（楕円形、正方形、長方形、星形等）であってよい。ヘリックス本体を形成する材料は弾性または剛性の程度によその長手に沿って変化してよい。ヘリックス本体６０の螺旋形状は均一の反復ループで構成され、各々がスムーズな形状を有する。選択的に、ヘリックス本体は不均一形状のループ、または半径方向（例えば、図６Ｃ，６Ｄおよび２２を参照）または長手方向に角度をつけた形状を有するループで構成されてよい。
【００３９】
１つ以上のヘリックスがブラシ上に同軸に設置されてよい、即ち、コアを中心に同軸に位置決めされた第一ヘリックス、第一ヘリックスおよびコアを中心に同軸に位置決めされた第二ヘリックスが設置される。第一および第二ヘリックスの各々のピッチは他の位相（段）内または異なっていてよい。更に、コア４のワイヤセグメント１９は第一方向へ捩じれ、かつヘリックス５０のループはコアと同一方向または異なる方向へ渦巻いていてよい。
【００４０】
特定寸法のヘリックスが特定の当初のブラシ上に設けられる効果はいくつかの可変ファクタに依存してよく、制限的でないが、当初のブラシの剛毛配向、分配および密度、当初のブラシの剛毛特性（厚み、剛性、構造、例えば波形、中空等）のファクタを含む。他のファクタとしてヘリックス本体の厚みおよび断面形状、ヘリックスのピッチ、ヘリックスの剛性、当初のブラシに対するヘリックスの寸法、ヘリックス直径に対するコア直径等が含まれる。含まれるいくつかの変数の観点で、次のガイドラインが所望結果を得るのに適したヘリックスを選択する上で有用と考えられている。
【００４１】
ヘリックスにより形成される最小直径は、好適には、剛毛部内のブラシのコアの外径に近いことである（またはヘリックスが伸張自在である場合に、コアよりも僅かに小さい）。好適には、ヘリックスの半径方向の断面はブラシの剛毛外被により形成される半径方向断面を越えないものである。ヘリックスまたは剛毛外被の半径方向の断面が偏心、またはヘリックスの半径方向の断面の一部が剛毛外被を越えないようにブラシのコアから半径方向へオフセットしている形態が意図されている。しかし、ヘリックスは睫毛または髪がヘリックスのループ間を通過することにより剛毛の少なくとも一部と接触できないほど外被から延びてはならない。
【００４２】
当初のブラシが捩じれたワイヤコアによるブラシである場合、最後の剛毛分配を決定する最も重要なファクタは、当初のブラシの剛毛部の捩じれワイヤコアの測定単位当たりの回転数（例えば、インチ当たりの捩じれまたは渦巻き数）に対するヘリックスの測定単位当たりの回転数（例えば、インチ当たりのループ数）のようである。ヘリックスのインチ当たりの回転数が捩じれワイヤコアのインチ当たりの回転数よりも大きい場合に、剛毛は当初のブラシの初期剛毛分配が均一（即ち、図２７に概略的に図示されたように溝または間隙を有しないスムーズ剛毛外被１１２）か否か、または螺旋列状である（即ち、図２８に概略的に図示されたように剛毛外被１１２内に溝または間隙を有する）か否かと関係なく均一先端分配に向けて拡がる傾向がある。ヘリックスのインチ当たりの回転数が捩じれワイヤコアのインチ当たりの回転数よりもち少ない場合に、ヘリックスは螺旋列状分配（図２８）へ剛毛を分離する傾向がある。しかし、ブラシコアよりもインチ当たりの回転数が少ないヘリックスが初期螺旋列剛毛分配を有する当初のブラシに付加される場合には、初期剛毛分配の螺旋模様の捩じれとヘリックスの捩じれとの交差に対応する点で生じる剛毛分配の変則（図２９に１１９，１２０で概略的に図示されている）を回避するために、ヘリックス５０の捩じれ方向はコアの捩じれワイヤ部１９の捩じれ方向と反対になる、即ち、初期螺旋列状分配の捩じれ方向と反対になる。剛毛分配の変則１１９，１２０は螺旋列状分配の溝または間隙を横切って拡がる小グループの剛毛（１２０）の形態、または剛毛の列内の溝（１１９）の形態をとる。ヘリックスの捩じれの方向がコアの捩じれ方向と反対である場合に、図２９に概略図示された剛毛分配の変則１１９，１２０は、ある用途に望ましい剛毛分配を得るために均一間隔で螺旋列内に縮れ１２２または波１２４を形成する。しかし、変則を有しない最後螺旋列状剛毛分配が望まれる場合、最良結果は均一の初期剛毛分配を有する当初の分配にヘリックスを付加することにより得られる。
【００４３】
概略的に、螺旋列状分配による（即ち、図２８に概略図示されたように剛毛外被内に溝または間隙を有する）最終ブラシを得るために、最良結果は初期剛毛分配が比較的均一であり（即ち、溝または間隙を有しないスムーズ剛毛外被）かつヘリックスよりもインチ当たりの回転数が多いコアを有する当初のブラシにヘリックス５０を加えることにより達成される。均一剛毛分配、即ち、見かけ溝または間隙を有しない剛毛外被を有する最終ブラシを得るために、比較できる結果は初期剛毛分配が均一または螺旋列状であり、かつヘリックスよりもインチ当たりの回転数が少ないコアを有する当初のブラシにヘリックス５０を付与することにより達成される。
【００４４】
本発明のヘリックスは、いずれかの形状、例えば、フットボール、直線形（円筒）直線傾斜形（円錐形）、二重形状（円筒と傾斜端）および湾曲形状（三日月）または他の形状等の剛毛外被またはトリムを有する当初のまたは初期ブラシへの使用に適する。
【００４５】
ヘリックスは銀から形成されてよく、または銀メッキはヘリックスの表面上に施されてよい。銀は強力な抗菌性を有することが知られている。
【００４６】
本発明は同様に、長軸を形成するコアを有する当初のブラシの剛毛部を変形するための方法に関し、かつ前記剛毛部はコアに固定される半径方向に延在する複数の剛毛により形成される。当初のブラシの剛毛の各々はコアに対して第一配向を有する。本発明の方法は複数の連続ループから形成されたヘリックスを用意し、かつ剛毛部の長手の少なくとも一部上方にヘリックスを設置する工程を含む。ヘリックスは剛毛部の長手の前記少なくとも一部に沿ってコアのまわりに同軸に受けられるように構成する。ヘリックスは、剛毛が隣接する連続ループ間で半径方向に延在しかつ剛毛の少なくとも一部がコアに対して第二配向へヘリックスにより位置変換されるような寸法にされて設置さる。ヘリックスはヘリックスおよびコアの少なくとも一方を他方に対して軸回転させることにより設置される。
【００４７】
好適形態の解説として、次に実施例を説明する。
実施例１
長軸を形成する捩じれワイヤコアを有し、かつ前記コアに固定された半径方向に延在する複数のナイロン剛毛により形成された剛毛部を有する従来ブラシを用意する。用意されたブラシの剛毛の各々はコアに対して第一配向を有し、初期剛毛分配が螺旋列状剛毛外被を形成するようになっている（図２８に概略図示されたものに類似）。前記ブラシの形状および剛毛の配置は図５Ｂに示されたブラシ１０５に類似する。前記ブラシのコアは略１．４３mm（０．０５６インチ）の直径および略４０mm（１．５７５インチ）の長さを有する。前記コアの先端部上に支持された剛毛部は略３０mm（１．１８１インチ）の長さおよび略８mm(0.315インチ)の直径を有する概ね円筒形状を有する。前記剛毛部の円筒形状は先端部で略２ｍｍ(0.079インチ)まで急傾斜している。
【００４８】
０．５１mm (0z020インチ)直径の円形断面を有するステンレススチールワイヤから形成された本体を有する円筒形ヘリックス（図１０−１１に示されたヘリックスの形状に類似）が用意される。前記ワイヤは、略２．１６mm (0.085インチ)の内径を有する円筒ヘリックスの主部を形成するために均一の間隔をおいた連続ループに形成されている。前記ヘリックスの円筒形状は略１．５２mm(0.060インチ)のより小さい内径まで先端部で急傾斜している。前記傾斜した部におけるループは密に巻かれている、即ち、前記傾斜した部において隣接するループ間に殆どまたは全く空間がない。前記ヘリックスの全長は２２８mm (1.10インチ)であり、ヘリックスの主部は略２６mm (1.02インチ)である。前記ヘリックスのループは、前記ワイヤに垂直の線がヘリックスの長軸に対して略８°の角度を形成するように渦巻きにされる。前記ループの螺旋方向は前記捩じれワイヤコアの捩じれ方向と反対である。
【００４９】
前記ヘリックスを、ナットをネジ山上に設置するように前記剛毛部上方へ同軸に、即ち、前記剛毛の少なくとも一部またはヘリックスを他の剛毛またはヘリックスに対して、ヘリックスが剛毛部へ「捩じれる」ように、回転させて設置する。この回転を、前記ヘリックスの傾斜した部の縮小直径が締まり嵌めにより前記ブラシのコアを把持するまで続ける。この点で、前記ブラシ剛毛の実質的全部を隣接する連続ループ間で半径方向に伸張し、かつ前記剛毛の少なくとも一部を前記コアに対して第二配向へ前記ヘリックスにより位置変換して、より均一の最終剛毛分配を得る。この最終剛毛分配は図５Ｂのブラシ１０７により示されたものに類似する。
【００５０】
実施例１に記載の寸法は単に好適形態を例示するのみであって、限定を意味しない。理解されるように、種々の寸法および形態が、本発明の精神および特許請求の範囲から逸脱することなく採用できる。
【００５１】
上記説明、実施例１および添付図面から明らかなように、前記ヘリックスはコアから半径方向に延在する剛毛を有するブラシの剛毛部を変更するために特に好適であり、各々がブラシのコアに対して第一配向を有する。そのようにして、基礎となるまたは当初のブラシ（付加ヘリックスが設置される前の）は、例えば、周知かつ容易に利用できるタイプの従来の捩じれワイヤブラシであってよい。かかる当初のブラシのブラシ形態は本発明のヘリックスにより種々の方法で変更されてよい。円筒状ヘリックスは複数の連続ループから形成された本体を有する。ヘリックスは、基礎となるブラシの剛毛が連続ループの隣接ループ間で半径方向外方へ延在するような寸法でコアのまわりに同軸に受けられるように選択されたピッチを有する。前記剛毛の少なくとも一部はヘコアに対して第二所定配向へヘリックスにより位置変換される。これは当初のブラシと異なる性質を有する変化ブラシを形成する。
【００５２】
本発明は消費者の特別ニーズに適したマスカラブラシのカスタマイズを可能にする。例えば、化粧品カウンタで、消費者は所望特性のマスカラブラシを選択できる。マスカラ包装容器と共に供給される従来（当初の）ブラシは化粧品カウンタでカスタマイズされる、即ち、所望特性を有するブラシ上にヘリックスを設置することによりカスタマー仕様に変更される。選択的に、少なくとも１つのヘリックスを含むドゥイトユアセルフ変更キットが消費者に直接提供され、従来ブラシ（当初の）の消費者による変更を可能にする。かかるキット内の各ヘリックスは当初ブラシに異なる特性を付与する。消費者は当初のブラシを変更することなく使用でき、またはそのキットから最も適したヘリックスを選択して設置することによりブラシを所望特性に変更できる。
【００５３】
本発明は好適形態の構造に具体化して説明しかつ図解したが、理解されるように種々の変更が本発明の精神および特許請求の範囲を逸脱することくなく構造および構成部の構成について行うことができる。
【図面の簡単な説明】
【図１】  従来捩じれワイヤコアブラシの一部および容器の立面図である。
【図２】  本発明によるアプリケータブラシ組立体の立面図である。
【図３】  図２の３−３線に沿った本発明によるアプリケータブラシの断面図である。
【図４】  図３から採ったヘリックスとアプリケータコア間の結合を示す本発明による一形態の断面説明図である。
【図５Ａ】  初期ブラシと、実質的均一分配から螺旋列状分配へ剛毛の再分配を実施する本発明のリックスによる変形後の同一ブラシとを並べて比較した写真である。
【図５Ｂ】  初期ブラシと、螺旋列状分配から実質的均一分配へ剛毛の再分配を実施する本発明のヘリックスにより変形した後の同一ブラシとを並べて比較した写真である。
【図６Ａ】  ヘリックスループ断面の実施形態例の概略図である。
【図６Ｂ】  ヘリックスループ断面の実施形態例の概略図である。
【図６Ｃ】  ヘリックスループ断面の実施形態例の概略図である。
【図６Ｄ】  ヘリックスループ断面の実施形態例の概略図である。
【図７Ａ】  ヘリックスのワイヤまたはシート材の実施形態例の断面図である。
【図７Ｂ】  ヘリックスのワイヤまたはシート材の実施形態例の断面図である。
【図７Ｃ】  ヘリックスのワイヤまたはシート材の実施形態例の断面図である。
【図７Ｄ】  ヘリックスのワイヤまたはシート材の実施形態例の断面図である。
【図７Ｅ】  ヘリックスのワイヤまたはシート材の実施形態例の断面図である。
【図７Ｆ】  ヘリックスのワイヤまたはシート材の実施形態例の断面図である。
【図８Ａ】  ヘリックスの先端部上にキャップを有する本発明による実施形態の立面図である。
【図８Ｂ】  ヘリックスの先端部上にプラグを有する本発明による実施形態の立面図である。
【図９】  ヘリックスの先端部上にプラグを有しかつ前記プラグ上支持された櫛を有する本発明によるヘリックスの立面図である。
【図１０】  本発明によるヘリックスの好適形態の立面図である。
【図１１】  図１０の矢印１１−１１の方向にとったヘリックスの端面図である。
【図１２】  本発明によるヘリックスの他の好適形態の立面図である。
【図１３】  図１２の矢印１３−１３の方向にとったヘリックスの他の形態の端面図である。
【図１４】  本発明によるヘリックスの他の好適形態の立面図である。
【図１５】  図１４の１５−１５矢印方向にとったヘリックスの他の形態の端面図である。
【図１６】  本発明によるヘリックスの他の形態の立面図である。
【図１７】  本発明によるヘリックスの他の形態の立面図である。
【図１８】  本発明によるヘリックスの他の形態の立面図である。
【図１９】  図１８の１９−１９矢印方向にとったヘリックスの他の形態の端面図である。
【図２０Ａ】  図１８に全体が示されたヘリックスの先端部の詳細図である。
【図２０Ｂ】  図１８に全体が示されたヘリックスの先端部の詳細図である。
【図２０Ｃ】  図１８に全体が示されたヘリックスの先端部の詳細図であり、他の表面処理例を示す。
【図２０Ｄ】  図１８に全体が示されたヘリックスの先端部の詳細図であり、他の表面処理例を示す。
【図２０Ｅ】  図１８に全体が示されたヘリックスの先端部の詳細図であり、他の表面処理例を示す。
【図２０Ｆ】  図１８に全体が示されたヘリックスの先端部の詳細図であり、他の表面処理例を示す。
【図２１】  本発明によるヘリックスの他の形態の立面図である。
【図２２】  図２１の２２−２２矢印方向にとったヘリックスの他の形態の端面図である。
【図２３】  図２１に示されたヘリックスの先端部の詳細図である。
【図２４】  ブラシ組立体の先端部でヘリックスをコアへ連結する形態の一部を示す断面図である。
【図２５】  ブラシ組立体の先端部でヘリックスをコアへ連結する他の形態の一部を示す断面図である。
【図２６】  ブラシ組立体の先端部でヘリックスをコアへ連結する他の形態の一部を示す断面図である。
【図２７】  溝または間隙を含まない代表的スムーズ剛毛外被の概略図である。
【図２８】  螺旋溝または間隙を有する代表的螺旋列状剛毛外被の概略図である。
【図２９】  変則溝または間隙を得るための本発明によるヘリックスにより変形した螺旋列状剛毛外被の概略図である。
【図１】
0003709165.tif 000002
【図２】
0003709165.tif 000003
【図３】
0003709165.tif 000004
【図４】
0003709165.tif 000005
【図５Ａ】
0003709165.tif 000006
【図５Ｂ】
0003709165.tif 000007
【図６Ａ】
0003709165.tif 000008
【図６Ｂ】
0003709165.tif 000009
【図６Ｃ】
0003709165.tif 000010
【図６Ｄ】
0003709165.tif 000011
【図７Ａ】
0003709165.tif 000012
【図７Ｂ】
0003709165.tif 000013
【図７Ｃ】
0003709165.tif 000014
【図７Ｄ】
0003709165.tif 000015
【図７Ｅ】
0003709165.tif 000016
【図７Ｆ】
0003709165.tif 000017
【図８Ａ】
0003709165.tif 000018
【図８Ｂ】
0003709165.tif 000019
【図９】
0003709165.tif 000020
【図１１】
0003709165.tif 000021
【図１０】
0003709165.tif 000022
【図１３】
0003709165.tif 000023
【図１２】
0003709165.tif 000024
【図１５】
0003709165.tif 000025
【図１４】
0003709165.tif 000026
【図１６】
0003709165.tif 000027
【図１７】
0003709165.tif 000028
【図１９】
0003709165.tif 000029
【図１８】
0003709165.tif 000030
【図２０Ａ】
0003709165.tif 000031
【図２０Ｂ】
0003709165.tif 000032
【図２０Ｃ】
0003709165.tif 000033
【図２０Ｄ】
0003709165.tif 000034
【図２０Ｅ】
0003709165.tif 000035
【図２０Ｆ】
0003709165.tif 000036
【図２２】
0003709165.tif 000037
【図２１】
0003709165.tif 000038
【図２７】
0003709165.tif 000039
【図２３】
0003709165.tif 000040
【図２８】
0003709165.tif 000041
【図２９】
0003709165.tif 000042
【図２４】
0003709165.tif 000043
【図２５】
0003709165.tif 000044
【図２６】
0003709165.tif 000045